(57)【要約】【課題】船内へ海賊が侵入することを遅らせることができる、船内への海賊侵入対策装置を提供することを課題とする。【解決手段】海賊が侵入して来ると想定される船上の場所であって、例えば、居住区１への進入路や、当該居住区１への進入路の一部を構成する居住区１の入口２の前に、粘着剤５を備えた海賊侵入対策装置１００を設けることで、船上に乗り込んで来た海賊を、粘着剤５により捕捉して足止めを食わせ、これにより、船内への海賊の侵入を遅らせるようにする。【選択図】図１
2014040204.tif 000002
【特許請求の範囲】
【請求項１】
海賊が侵入して来ると想定される船上の場所に設けられ、粘着剤を備えることを特徴とする船内への海賊侵入対策装置。
【請求項２】
前記粘着剤を内部に収容し上部を開放する開口を備えた収容ケースと、
前記収容ケースの前記開口を覆うことが可能且つ前記収容ケースからの取り外しが可能とされたケースカバーと、を有することを特徴とする請求項１記載の船内への海賊侵入対策装置。
【請求項３】
居住区への進入路に設けられることを特徴とする請求項１又は２記載の船内への海賊侵入対策装置。
【請求項４】
居住区の入口の前に設けられることを特徴とする請求項３記載の船内への海賊侵入対策装置。
【発明の詳細な説明】
【技術分野】
【０００１】
本発明は、船内への海賊の侵入を遅らせるための海賊侵入対策装置に関する。
【背景技術】
【０００２】
近年、ソマリア沖等では海賊事件が頻発し、その対策が苦慮されている。以下の特許文献１では、船舶の上甲板上のハンドレール支柱を常時は直立状態でロックし、海賊海域等にあってはロックを外しハンドレール支柱を傾動可能とすることで、海賊が、ロープに付けたアンカーを、ハンドレール支柱間に掛け渡された手摺りに引っ掛けて登って来ようとすると、手摺りと共にハンドレール支柱が傾動し、海賊が船上へ乗り込んで来るのを妨害する技術が開示されている。
【先行技術文献】
【特許文献】
【０００３】
【特許文献１】特開２００７−２６１３５５号公報
【発明の概要】
【発明が解決しようとする課題】
【０００４】
しかしながら、海賊が一旦船上に乗り込んで来た場合には、乗組員は船内のシタデル（citadel）と呼ばれる緊急待避所に素早く逃げ込み、籠城して救助を待つことになるが、乗組員全員がシタデルに逃げ込めるように、海賊の船内への侵入を妨害し遅らせるような装置は未だ無い。
【０００５】
本発明は、このような課題を解決するために成されたものであり、船内への海賊の侵入を遅らせることができる船内への海賊侵入対策装置を提供することを目的とする。
【課題を解決するための手段】
【０００６】
本発明による船内への海賊侵入対策装置は、海賊が侵入して来ると想定される船上の場所に設けられ、粘着剤を備えることを特徴としている。
【０００７】
このような船内への海賊侵入対策装置によれば、海賊が侵入して来ると想定される船上の場所に、粘着剤を備える海賊侵入対策装置が設けられるため、船上に乗り込んで来た海賊は、粘着剤に捕捉されて足止めされ、これにより、船内への海賊の侵入を遅らせることができる。
【０００８】
ここで、粘着剤を内部に収容し上部を開放する開口を備えた収容ケースと、収容ケースの開口を覆うことが可能且つ収容ケースからの取り外しが可能とされたケースカバーと、を有する構成が好ましい。このような構成を採用した場合、海賊出没海域外では、使用する必要がないため乗組員に支障がないようにケースカバーで収容ケースの開口を覆い、一方、海賊出没海域内では、ケースカバーを収容ケースから取り外し粘着剤を露出させることで海賊侵入対策とすることができ、その取り扱いが容易である。
【０００９】
また、船内への海賊侵入対策装置は、居住区への進入路に設けられていると、船内へ侵入しようとする海賊の粘着剤による捕捉率が高められ、船内への海賊の侵入を遅らせる確率を高めることができる。
【００１０】
また、船内への海賊侵入対策装置は、居住区の入口の前に設けられていると、船内へ侵入しようとする海賊の粘着剤による捕捉率が一層高められ、船内への海賊の侵入を遅らせる確率を一層高めることができる。
【発明の効果】
【００１１】
このような本発明によれば、船内への海賊の侵入を遅らせることができる。
【図面の簡単な説明】
【００１２】
【図１】本発明の実施形態に係る船内への海賊侵入対策装置を適用した船舶の平面図である。
【図２】図１のII-II矢視図である。
【図３】海賊出没海域内での状態を説明するための図である。
【発明を実施するための形態】
【００１３】
以下、本発明による船内への海賊侵入対策装置の好適な実施形態について図面を参照しながら説明する。図１は、本発明の実施形態に係る船内への海賊侵入対策装置を適用した船舶の平面図、図２は、図１のII-II矢視図、図３は、海賊出没海域内での状態を説明するための図であり、本実施形態の船内への海賊侵入対策装置は、船上に乗り込んで来た海賊の船内への侵入を遅らせるためのものであり、海賊が侵入して来ると想定される船上の場所に設置される。
【００１４】
図１に示すように、船舶の居住区１は、例えば、居室、食堂、賄室、トイレ、洗濯室、浴室、シタデル等の各部屋に区画され、海賊侵入対策装置１００は、ここでは、居住区１の入口２の前で、外階段の上り口に設置されている。なお、図１において、矢印Ｆは船首の方向を、矢印Ｂは船尾の方向を、矢印Ｌは左舷の方向を、矢印Ｒは右舷の方向をそれぞれ示している。
【００１５】
海賊侵入対策装置１００は概略、図２及び図３に示すように、上部を開放する開口３ａを備え粘着剤５を内部に収容するための収容ケース３と、この収容ケース３の開口３ａを蓋するように覆うケースカバー４と、を備える。
【００１６】
収容ケース３は四角筒状に構成され、上甲板６に例えば溶接等により固定される。この収容ケース３の対向する一対の側板３ｄ，３ｄの各々には、ボルト７を挿通させるためのボルト用孔３ｂが前後方向（図１の左右方向）に離間してそれぞれ設けられ、側板３ｄの裏面でボルト用孔３ｂに対応する位置（同軸の位置）にはナット３ｃが例えば溶接等により固定されている。そして、収容ケース３内が、粘着剤５を収容するための領域とされ、この領域に粘着剤５が約１０〜２０ｍｍの厚さ（高さ）で充填される。ここでは、粘着剤５として、例えばポリブデンを主成分とした強力液状粘着剤が用いられている。なお、収容ケース３は底を有し上部開放の箱状とされていても良い。
【００１７】
ケースカバー４は、収容ケース３の開口３ａを上方から覆うと共に、収容ケース３の側板３ｄに外側から対面する側板４ｄを一対有する断面コの字形状に形成される。これらの側板４ｄにおいて上記収容ケース３のボルト用孔３ｂに対応する位置には、ボルト７を挿通させるためのボルト用孔４ｂがそれぞれ設けられる。また、ケースカバー４の一対の側板４ｄ，４ｄの各々の外面には、乗組員が掴み当該ケースカバー４を移動させるための把手４ａが前後方向（図１の左右方向）に離間してそれぞれ設けられている。
【００１８】
次に、このように構成された船内への海賊侵入対策装置１００の作用について説明する。
【００１９】
先ず、通常時である海賊出没海域外では、使用する必要がないため乗組員に支障がないように、乗組員は、ケースカバー４の把手４ａを掴み当該ケースカバー４で収容ケース３の開口３ａを覆い、ボルト７をボルト用孔４ｂ，３ｂに通しナット３ｃに螺合することで、ケースカバー４を収容ケース３に固定し、待機状態とする。
【００２０】
このとき、図２に示すように、粘着剤５を予め収容ケース３内に充填しておいても良いが、ここでは、未だ粘着剤５を充填していないものとして説明する。
【００２１】
次いで、船舶が海賊出没海域に至ると、乗組員は、ボルト７を回しナット３ｃに対する螺合を解除しながらボルト用孔３ｂ，４ｂから引き抜き、ケースカバー４の把手４ａを掴み当該ケースカバー４を収容ケース３から取り外し、粘着剤５を収容ケース３内に充填する。
【００２２】
この状態で、海賊が襲来し船上に乗り込んで来て居住区１に侵入しようとすると、海賊は、居住区１の入口２の前に露出している粘着剤５に捕捉され、足止めされる。従って、この足止めしている間に時間を稼ぎ、乗組員は船内のシタデルに逃げ込み、籠城して救助を待つ。
【００２３】
また、海賊の襲来がなく、その後、船舶が海賊出没海域外に出た場合には、乗組員は、ケースカバー４を収容ケース３に被せてボルト７により固定し、待機状態に戻す。
【００２４】
このように、本実施形態においては、海賊が侵入して来ると想定される船上の場所に、粘着剤５を備える海賊侵入対策装置１００が設けられているため、船上に乗り込んで来た海賊は、粘着剤５に捕捉されて足止めされ、これにより、船内への海賊の侵入を遅らせることができる。
【００２５】
また、本実施形態においては、海賊出没海域外では、使用する必要がないためケースカバー４で収容ケース３の開口３ａを覆い、一方、海賊出没海域内では、ケースカバー４を収容ケース３から取り外し粘着剤５を露出させることで海賊侵入対策とすることができるため、その取り扱いが容易である。
【００２６】
また、本実施形態においては、海賊侵入対策装置１００が、居住区１の入口２の前に設けられているため、船内へ侵入しようとする海賊の粘着剤５による捕捉率が格段に高められ、船内への海賊の侵入を遅らせる確率を格段に高めることができる。
【００２７】
以上、本発明をその実施形態に基づき具体的に説明したが、本発明は上記実施形態に限定されるものではなく、例えば、上記実施形態においては、収容ケース３を上甲板６に固定しているが、移動可能で持ち運び可能とすることもできる。この場合には、収容ケース３に底を設けても良い。また、ケースカバー４が重い場合には、当該ケースカバー４又は収容ケース３に滑車等を設け、ケースカバー４のスライド移動を可能とし着脱を容易にしても良い。
【００２８】
また、上記実施形態においては、特に効果的であるとして、船内への海賊侵入対策装置１００を居住区１の入口２の前に設置しているが、居住区１への進入路に設置すれば、船内へ侵入しようとする海賊の粘着剤５による捕捉率を高めることができ、船内への海賊の侵入を遅らせる確率を高めることができる。また、海賊侵入対策装置１００は、例えば船尾等の上甲板６上（船上）の位置で、海上から登ってきた海賊が降りるような場所に設置することもでき、要は、海賊が侵入して来ると想定される船上の場所であれば良い。また、海賊対策防止装置１００の設置場所は、上記の何れか一箇所に限定されるものではなく、複数箇所に設置することもできる。
【符号の説明】
【００２９】
１…居住区、２…入口、３…収容ケース、３ａ…開口、４…ケースカバー、５…粘着剤、６…上甲板、１００…船内への海賊侵入対策装置。
【図１】
2014040204.tif 000003
【図２】
2014040204.tif 000004
【図３】
2014040204.tif 000005